(57)【要約】【課題】  規模の大きいビルにおいて効率的にエネルギー使用状況の監視および制御を行うための支援をするビル監視制御支援システム、およびこれに利用するビル監視制御支援装置、ビル監視制御支援方法、ビル監視制御支援プログラムを提供する。【解決手段】  監視制御対象となるビルに設置された各メータで計測されたエネルギー消費量の計測値を取得する状態・計測値取得部２２２と、取得された計測値がメータテーブルに格納された各メータの許容上限値を超えているか否かをメータごとに判断するエネルギー使用状況監視部２２４と、いずれかのメータの計測値が許容上限値を超えていると判断されたときに、当該メータの計測対象の機器に対応する制御内容の制御手順を、制御の優先度の高い順に表示させるエネルギー改善手順表示画面の表示情報を、ビルのエネルギー消費状態の監視制御を支援する支援情報として生成する支援情報生成部２２５とを備える。【選択図】  図１
2010092274.tif 000002
【特許請求の範囲】
【請求項１】
監視制御対象となるビルに設置された１または複数の機器で消費されるエネルギーを計測する複数のメータと、これらのメータに接続され当該ビルのエネルギー消費状態を監視および制御するビル監視制御支援装置とから構成されたビル監視制御支援システムにおいて、
前記ビル監視制御支援装置は、
前記メータごとに、計測値の許容上限値を格納したメータテーブルと、
前記メータごとに、計測対象の機器の情報を格納したメータ−機器テーブルと、
前記機器ごとに、エネルギー消費量を減らすための制御内容を格納した機器テーブルと、
前記各機器のエネルギー消費量を減らすための制御内容ごとに設定された、実行されるべき制御の優先度を格納した優先度−機器テーブルと、
前記制御内容ごとの制御手順を格納した手順種別テーブルと、
前記各メータで計測された計測値を取得する計測値取得部と、
前記計測値取得部で取得された各メータの計測値を監視し、これらの計測値が前記メータテーブルに格納された許容上限値を超えているか否かをメータごとに判断するエネルギー使用状況監視部と、
前記エネルギー使用状況監視部において、いずれかのメータの計測値が前記許容上限値を超えていると判断されたときに、当該メータの計測対象の機器を前記メータ−機器テーブルの情報に基づいて特定し、特定された機器に対応する制御内容を前記機器テーブルの情報に基づいて特定し、特定された機器の制御内容ごとの優先度を前記優先度−機器テーブルから取得し、特定された機器に対応する制御内容の制御手順を前記手順種別テーブルから取得し、取得した制御手順を取得した優先度の高い順に表示させるエネルギー改善手順表示画面の表示情報を、前記ビルのエネルギー消費状態の監視制御を支援する支援情報として生成する支援情報生成部と
を備えることを特徴とするビル監視制御支援システム。
【請求項２】
前記エネルギー使用状況監視部においていずれかのメータの計測値が前記許容上限値を超えていると判断されたときに、この判断内容を音声で出力する警報装置
をさらに備えることを特徴とする請求項１に記載のビル監視制御支援システム。
【請求項３】
監視制御対象となるビルに設置された１または複数の機器で消費されるエネルギーを計測する複数のメータに接続されたビル監視制御支援装置において、
前記メータごとに、計測値の許容上限値を格納したメータテーブルと、
前記メータごとに、計測対象の機器の情報を格納したメータ−機器テーブルと、
前記機器ごとに、エネルギー消費量を減らすための制御内容を格納した機器テーブルと、
前記各機器のエネルギー消費量を減らすための制御内容ごとに設定された、実行されるべき制御の優先度を格納した優先度−機器テーブルと、
前記制御内容ごとの制御手順を格納した手順種別テーブルと、
前記各メータで計測された計測値を取得する計測値取得部と、
前記計測値取得部で取得された各メータの計測値を監視し、これらの計測値が前記メータテーブルに格納された許容上限値を超えているか否かをメータごとに判断するエネルギー使用状況監視部と、
前記エネルギー使用状況監視部において、いずれかのメータの計測値が前記許容上限値を超えていると判断されたときに、当該メータの計測対象となる機器を前記メータ−機器テーブルの情報に基づいて特定し、特定された機器に対応する制御内容を前記機器テーブルの情報に基づいて特定し、特定された機器の制御内容ごとの優先度を前記優先度−機器テーブルから取得し、特定された機器に対応する制御内容の制御手順を前記手順種別テーブルから取得し、取得した制御手順を取得した優先度の高い順に表示させるエネルギー改善手順表示画面の表示情報を、前記ビルのエネルギー消費状態の監視制御を支援する支援情報として生成する支援情報生成部と
を備えることを特徴とするビル監視制御支援装置。
【請求項４】
前記支援情報生成部で生成されるエネルギー改善手順表示画面の表示情報には、各制御手順に該当する制御を実行させるためのボタンの表示情報が含まれ、
前記ボタンの表示情報が操作されたときに、当該ボタンに対応する制御を該当する機器に実行させる機器制御部
をさらに備えることを特徴とする請求項３に記載のビル監視制御支援装置。
【請求項５】
監視制御対象となるビルに設置された１または複数の機器で消費されるエネルギーを計測する複数のメータに接続されたビル監視制御支援装置が、
前記各メータで計測された計測値を取得し、
取得した各メータの計測値を監視し、これらの計測値が、前記メータごとに計測値の許容上限値を格納したメータテーブルを参照して当該許容上限値を超えているか否かを、メータごとに判断し、
いずれかのメータの計測値が前記許容上限値を超えていると判断したときに、当該メータの計測対象となる機器を、前記メータごとに計測対象の機器の情報を格納したメータ−機器テーブルを参照して特定し、
特定した機器に対応する制御内容を、前記機器ごとにエネルギー消費量を減らすための制御内容を格納した機器テーブルを参照して特定し、
特定した機器の制御内容ごとの優先度を、前記各機器のエネルギー消費量を減らすための制御内容ごとに設定された、実行されるべき制御の優先度を格納した優先度−機器テーブルを参照して取得し、
特定した機器に対応する制御内容の制御手順を、前記制御内容ごとの制御手順を格納した手順種別テーブルを参照して取得し、
取得した制御手順を取得した優先度の高い順に表示させるエネルギー改善手順表示画面の表示情報を、前記ビルのエネルギー消費状態の監視制御を支援する支援情報として生成する
ことを特徴とするビル監視制御支援方法。
【請求項６】
前記エネルギー改善手順表示画面の表示情報には、各制御手順に該当する制御を実行させるためのボタンの表示情報が含まれ、
前記ボタンの表示情報が操作されたときに、当該ボタンに対応する制御を該当する機器に実行させる
ことを特徴とする請求項５に記載のビル監視制御支援方法。
【請求項７】
監視制御対象となるビルに設置された１または複数の機器で消費されるエネルギーを計測する複数のメータに接続されたビル監視制御支援装置に、
前記各メータで計測された計測値を取得する機能と、
取得した各メータの計測値を監視し、これらの計測値が、前記メータごとに計測値の許容上限値を格納したメータテーブルを参照して当該許容上限値を超えているか否かを、メータごとに判断する機能と、
いずれかのメータの計測値が前記許容上限値を超えていると判断したときに、当該メータの計測対象となる機器を、前記メータごとに計測対象の機器の情報を格納したメータ−機器テーブルを参照して特定する機能と、
特定した機器に対応する制御内容を、前記機器ごとにエネルギー消費量を減らすための制御内容を格納した機器テーブルを参照して特定する機能と、
特定した機器の制御内容ごとの優先度を、前記各機器のエネルギー消費量を減らすための制御内容ごとに設定された、実行されるべき制御の優先度を格納した優先度−機器テーブルを参照して取得する機能と、
特定した機器に対応する制御内容の制御手順を、前記制御内容ごとの制御手順を格納した手順種別テーブルを参照して取得する機能と、
取得した制御手順を取得した優先度の高い順に表示させるエネルギー改善手順表示画面の表示情報を、前記ビルのエネルギー消費状態の監視制御を支援する支援情報として生成する機能と
を実行させるビル監視制御支援プログラム。
【請求項８】
前記エネルギー改善手順表示画面の表示情報には、各制御手順に該当する制御を実行させるためのボタンの表示情報が含まれ、
前記ボタンの表示情報が操作されたときに、当該ボタンに対応する制御を該当する機器に実行させる機能
をさらに有することを特徴とする請求項７に記載のビル監視制御支援プログラム。
【発明の詳細な説明】
【技術分野】
【０００１】
本発明は、ビル内のエネルギー使用状況の監視および制御を支援するビル監視制御支援システム、およびこれに利用するビル監視制御支援装置、ビル監視制御支援方法、ビル監視制御支援プログラムに関する。
【背景技術】
【０００２】
従来、ビル内の複数の機器におけるエネルギー使用状況の監視は、ビル内の複数の機器に供給されるエネルギー値を計測するメータを監視することにより行われている。そのため、これらのメータの計測値が一定値を超えないように機器の運転を制御することで、ビル内の機器を省エネ制御により運用することができる。
【０００３】
ところで、このような省エネ制御を行うときに、一定値を超えたメータの計測対象となっている複数の機器のうち、どの機器から順にどのような制御を行えばエネルギー消費量を抑えることができるかを検討する必要がある。
【０００４】
これに鑑みて、特許文献１に記載のエネルギー管理装置では、ビル全体またはビル内を分割した複数ブロックのそれぞれで消費するエネルギーをメータで監視し、一定期間のエネルギー消費量が許容上限値を超えた場合に、予め設定された優先順位の高い機器から段階的に制御を行うことによりエネルギー消費量を減少させることを実現している。
【０００５】
この特許文献１に記載の技術を利用することにより、効率的にビル内の省エネ制御を行うことができる。
【特許文献１】特許第３８３９４４０号公報
【発明の開示】
【発明が解決しようとする課題】
【０００６】
ところで、大規模なビルではエネルギーが階層的に分岐され、この分岐点ごとにメータが設置されて供給されるエネルギーが計測されているため、メータ数が膨大でありメータどうしの計測位置関係が複雑になっている。
【０００７】
しかし、特許文献１に記載のエネルギー管理装置では、このような複雑な計測位置関係にある多数のメータでエネルギー消費量を監視する場合については考慮されていなかった。そのため特許文献１の技術では、多数の中からどのメータで許容上限値を超えているかを判断したり、複数のメータで許容上限値を超えた場合にどの機器から優先的に制御するかを判断したりすることはできず、規模の大きいビルにおいで効率的にエネルギー使用状況の監視、および機器の制御をすることが可能な技術が望まれていた。
【０００８】
そこで本発明の目的は、規模の大きいビルにおいて効率的にエネルギー使用状況の監視および制御を行うための支援をするビル監視制御支援システム、およびこれに利用するビル監視制御支援装置、ビル監視制御支援方法、ビル監視制御支援プログラムを提供することである。
【課題を解決するための手段】
【０００９】
上記目的を達成するための本発明のビル監視制御支援システムは、監視制御対象となるビルに設置された１または複数の機器で消費されるエネルギーを計測する複数のメータと、これらのメータに接続され当該ビルのエネルギー消費状態を監視および制御するビル監視制御支援装置とから構成されたものであり、前記ビル監視制御支援装置は、前記メータごとに、計測値の許容上限値を格納したメータテーブルと、前記メータごとに、計測対象の機器の情報を格納したメータ−機器テーブルと、前記機器ごとに、エネルギー消費量を減らすための制御内容を格納した機器テーブルと、前記各機器のエネルギー消費量を減らすための制御内容ごとに設定された、実行されるべき制御の優先度を格納した優先度−機器テーブルと、前記制御内容ごとの制御手順を格納した手順種別テーブルと、前記各メータで計測された計測値を取得する計測値取得部と、前記計測値取得部で取得された各メータの計測値を監視し、これらの計測値が前記メータテーブルに格納された許容上限値を超えているか否かをメータごとに判断するエネルギー使用状況監視部と、前記エネルギー使用状況監視部において、いずれかのメータの計測値が前記許容上限値を超えていると判断されたときに、当該メータの計測対象となる機器を前記メータ−機器テーブルの情報に基づいて特定し、特定された機器に対応する制御内容を前記機器テーブルの情報に基づいて特定し、特定された機器の制御内容ごとの優先度を前記優先度−機器テーブルから取得し、特定された機器に対応する制御内容の制御手順を前記手順種別テーブルから取得し、取得した制御手順を取得した優先度の高い順に表示させるエネルギー改善手順表示画面の表示情報を、前記ビルのエネルギー消費状態の監視制御を支援する支援情報として生成する支援情報生成部とを備えることを特徴とする。
【００１０】
また、本発明のビル監視制御支援装置は、監視制御対象となるビルに設置された１または複数の機器で消費されるエネルギーを計測する複数のメータに接続されたビル監視制御支援装置であり、前記メータごとに、計測値の許容上限値を格納したメータテーブルと、前記メータごとに、計測対象の機器の情報を格納したメータ−機器テーブルと、前記機器ごとに、エネルギー消費量を減らすための制御内容を格納した機器テーブルと、前記各機器のエネルギー消費量を減らすための制御内容ごとに設定された、実行されるべき制御の優先度を格納した優先度−機器テーブルと、前記制御内容ごとの制御手順を格納した手順種別テーブルと、前記各メータで計測された計測値を取得する計測値取得部と、前記計測値取得部で取得された各メータの計測値を監視し、これらの計測値が前記メータテーブルに格納された許容上限値を超えているか否かをメータごとに判断するエネルギー使用状況監視部と、前記エネルギー使用状況監視部において、いずれかのメータの計測値が前記許容上限値を超えていると判断されたときに、当該メータの計測対象となる機器を前記メータ−機器テーブルの情報に基づいて特定し、特定された機器に対応する制御内容を前記機器テーブルの情報に基づいて特定し、特定された機器の制御内容ごとの優先度を前記優先度−機器テーブルから取得し、特定された機器に対応する制御内容の制御手順を前記手順種別テーブルから取得し、取得した制御手順を取得した優先度の高い順に表示させるエネルギー改善手順表示画面の表示情報を、前記ビルのエネルギー消費状態の監視制御を支援する支援情報として生成する支援情報生成部とを備えることを特徴とする。
【００１１】
また、本発明のビル監視制御支援方法は、監視制御対象となるビルに設置された１または複数の機器で消費されるエネルギーを計測する複数のメータに接続されたビル監視制御支援装置が、前記各メータで計測された計測値を取得し、取得した各メータの計測値を監視し、これらの計測値が、前記メータごとに計測値の許容上限値を格納したメータテーブルを参照して当該許容上限値を超えているか否かを、メータごとに判断し、いずれかのメータの計測値が前記許容上限値を超えていると判断したときに、当該メータの計測対象となる機器を、前記メータごとに計測対象の機器の情報を格納したメータ−機器テーブルを参照して特定し、特定した機器に対応する制御内容を、前記機器ごとにエネルギー消費量を減らすための制御内容を格納した機器テーブルを参照して特定し、特定した機器の制御内容ごとの優先度を、前記各機器のエネルギー消費量を減らすための制御内容ごとに設定された、実行されるべき制御の優先度を格納した優先度−機器テーブルを参照して取得し、特定した機器に対応する制御内容の制御手順を、前記制御内容ごとの制御手順を格納した手順種別テーブルを参照して取得し、取得した制御手順を取得した優先度の高い順に表示させるエネルギー改善手順表示画面の表示情報を、前記ビルのエネルギー消費状態の監視制御を支援する支援情報として生成することを特徴とする。
【００１２】
また、本発明のビル監視制御支援プログラムは、監視制御対象となるビルに設置された１または複数の機器で消費されるエネルギーを計測する複数のメータに接続されたビル監視制御支援装置に、前記各メータで計測された計測値を取得する機能と、取得した各メータの計測値を監視し、これらの計測値が、前記メータごとに計測値の許容上限値を格納したメータテーブルを参照して当該許容上限値を超えているか否かを、メータごとに判断する機能と、いずれかのメータの計測値が前記許容上限値を超えていると判断したときに、当該メータの計測対象となる機器を、前記メータごとに計測対象の機器の情報を格納したメータ−機器テーブルを参照して特定する機能と、特定した機器に対応する制御内容を、前記機器ごとにエネルギー消費量を減らすための制御内容を格納した機器テーブルを参照して特定する機能と、特定した機器の制御内容ごとの優先度を、前記各機器のエネルギー消費量を減らすための制御内容ごとに設定された、実行されるべき制御の優先度を格納した優先度−機器テーブルを参照して取得する機能と、特定した機器に対応する制御内容の制御手順を、前記制御内容ごとの制御手順を格納した手順種別テーブルを参照して取得する機能と、取得した制御手順を取得した優先度の高い順に表示させるエネルギー改善手順表示画面の表示情報を、前記ビルのエネルギー消費状態の監視制御を支援する支援情報として生成する機能とを実行させることを特徴とする。
【発明の効果】
【００１３】
本発明のビル監視制御支援システム、およびこれに利用するビル監視制御支援装置、ビル監視制御支援方法、ビル監視制御支援プログラムによれば、規模の大きいビルにおいて、効率的にエネルギー使用状況の監視および制御を行うための支援をすることができる。
【発明を実施するための最良の形態】
【００１４】
〈一実施形態によるビル監視制御支援システムの構成〉
本発明の一実施形態によるビル監視制御支援システムの構成を、図１および図２を参照して説明する。
【００１５】
本実施形態によるビル監視制御支援システム１は、図１に示すように、監視制御対象のビルＡ内に設けられたビル内エネルギーシステム１０と、このビル内エネルギーシステム１０の監視および制御の支援を行うビル監視制御支援装置２０と、ビルＡの監視員により操作される表示入力装置３０と、警報装置４０とから構成される。
【００１６】
ビル内エネルギーシステム１０は、ビルＡ内に設置された複数の機器である空調機１１−１〜１１−４と、複数のエリア計測メータ１２−１、１２−２と、複数の機器計測メータ１３−１〜１３−３とを有する。
【００１７】
規模の大きいビルのビル内エネルギーシステム１０は、設備機器、電力関係機器等やメータは数十個かまたは数百個で構成されているが、本実施形態においては説明を簡略化するため、機器としての４台の空調機１１−１〜１１−４と、２台のエリア計測メータ１２−１、１２−２と、３台の機器計測メータ１３−１〜１３−３とにより構成されているものとする。
【００１８】
空調機１１−１〜１１−４は、ビルＡ内の所定エリアに設置され、外部から供給された電力がまず分岐点Ｄ１により分岐され、その一方が分岐点Ｄ２でさらに分岐されることにより階層的に複数に分割され最下層の位置で供給され、設定温度に従って該当エリアの空調制御動作を行う。
【００１９】
エリア計測メータ１２−１、１２−２は、階層的に電力が分岐される各分岐点Ｄ１、Ｄ２の分岐元の位置でそれぞれ、この位置よりも下層に供給される電力で作動する、所定エリア内の複数の空調機で使用される電力を計測する。
【００２０】
機器計測メータ１３−１〜１３−３は、階層的に電力が分岐された最下層の位置で、各空調機１１−１〜１１−４に供給される電力をそれぞれ計測する。ここでは、機器計測メータ１３−１は空調機１１−４に供給される電力を計測し、機器計測メータ１３−２は空調機１１−１および１１−２に供給される電力を計測し、機器計測メータ１３−３は空調機１１−３に供給される電力を計測する。
【００２１】
ビル監視制御支援装置２０は、図２に示すように、記憶部２１と、制御部２２とを有する。記憶部２１は、メータテーブル記憶部２１１と、メータ−メータテーブル記憶部２１２と、メータ−機器テーブル記憶部２１３と、機器テーブル記憶部２１４と、手順種別テーブル記憶部２１５と、優先度−機器テーブル記憶部２１６と、状態・計測値記憶部２１７とを有する。
【００２２】
メータテーブル記憶部２１１は、ビル内エネルギーシステム１０内に設置されている機器計測メータおよびエリア計測メータごとの識別情報としてのメータＩＤ、各メータの名称、メータで計測されるエネルギーの単位、計算値の許容上限値等を格納する。
【００２３】
メータ−メータテーブル記憶部２１２は、エリア計測メータごとに、当該エリア計測メータの計測位置の直下の位置でエネルギーを計測する所属メータのメータＩＤを格納する。
【００２４】
メータ−機器テーブル記憶部２１３は、機器計測メータごとに、計測対象の機器の識別情報としての機器ＩＤを格納する。
【００２５】
機器テーブル記憶部２１４は、ビル内エネルギーシステム１０内に設置されている機器ごとの機器ＩＤ、機器の名称、制御／設定内容等を格納する。
【００２６】
手順種別テーブル記憶部２１５は、各機器（空調機、照明など）のエネルギー消費量を減らすための制御内容ごとの具体的な制御手順、これらの制御内容および制御手順ごとの識別情報としての手順種別ＩＤを格納する。
【００２７】
優先度−機器テーブル記憶部２１６は、機器テーブル記憶部２１４に記憶された機器ＩＤと制御／設定内容との組み合わせごとの、実行されるべき制御の優先度を格納する。
【００２８】
状態・計測値記憶部２１７は、後述する状態・計測値取得部２２２で取得する各空調機の運転状態および設定温度値と、各メータの計測値とを記憶する。
【００２９】
制御部２２は、入力部２２１と、状態・計測値取得部２２２と、エネルギー使用状況表示制御部２２３と、エネルギー使用状況監視部２２４と、支援情報生成部２２５と、機器制御部２２６とを有する。
【００３０】
入力部２２１は、監視員による表示入力装置３０の操作により、手順種別テーブル記憶部２１５、および優先度−機器テーブル記憶部２１６に記憶する情報を入力する。
【００３１】
状態・計測値取得部２２２は、空調機１１−１〜１１−５から所定時間間隔でそれぞれ運転状態（運転／停止）および設定温度値を取得するとともに、エリア計測メータ１２−１、１２−２および機器計測メータ１３−１〜１３−３から、所定時間間隔でそれぞれ計測値を取得する。
【００３２】
エネルギー使用状況表示制御部２２３は、状態・計測値取得部２２２で取得され状態・計測値記憶部２１７に記憶された各メータの計測値を取得して電力の分岐状況に基づいて系統的に示したエネルギー使用状況画面情報を生成し、表示入力装置３０に送信する。
【００３３】
エネルギー使用状況監視部２２４は、状態・計測値取得部２２２で取得され状態・計測値記憶部２１７に記憶された各メータの計測値が、メータテーブル記憶部２１１に記憶された各メータの許容上限値を超えているか否かを監視する。いずれかのメータの計測値が当該メータの許容上限値を超えたときには、当該メータの情報をエネルギー使用状況表示制御部２２３に送出してエネルギー使用状況画面上の当該メータの計測値の表示を赤色で表示させるなどして警告のために強調させ、当該メータがエネルギー使用量の改善対象のメータであることを示す情報を支援情報生成部２２５に送出して当該メータの情報に基づいて支援情報を生成させ、さらにこのメータの情報を警報装置４０に送信して当該メータの計測値が許容上限値を超えたことを示す情報を音声で出力させる。
【００３４】
支援情報生成部２２５は、エネルギー使用状況監視部２２４から送信された、エネルギー使用量の改善対象メータを示す情報に基づいて、エネルギー使用量の改善対象の機器およびこの機器の制御内容を検索する。具体的には、支援情報生成部２２５はまず、この対象メータの識別情報であるメータＩＤを、メータテーブルを参照して特定する。次に支援情報生成部２２５は、特定されたメータの所属メータのうち機器計測メータの情報をメータ−メータテーブルを参照して抽出し、さらにこの抽出された機器計測メータの計測対象の機器の機器ＩＤをメータ−機器テーブルから抽出する。さらに支援情報生成部２２５は、抽出された機器ＩＤに対応する機器の名称、制御内容を機器テーブルから抽出するとともに、これらの機器ＩＤに対応する、手順種別ＩＤおよび優先度を優先度−機器テーブルから抽出する。さらに支援情報生成部２２５は、抽出された手順種別ＩＤに対応する手順内容を手順種別テーブル記憶部２１５から抽出する。さらに支援情報生成部２２５は、これらの抽出された機器の名称、優先度、制御手順、手順内容と、状態・計測値記憶部２１７に記憶された各空調機の運転状態および設定温度値に基づいてエネルギー改善手順表示画面を生成する。
【００３５】
機器制御部２２６は、表示入力装置３０から送信された、ビル内エネルギーシステム１０内の機器を制御する指示を受信し、該当する機器に送信する。
【００３６】
表示入力装置３０は、監視員の操作により、ビル監視制御支援装置２０の手順種別テーブル記憶部２１５および優先度−機器テーブル記憶部２１６に記憶させる情報を、制御部２２の入力部２２１に入力する。また表示入力装置３０は、エネルギー使用状況表示制御部２２３で生成されたエネルギー使用状況画面情報を表示する。また表示入力装置３０は、ビル監視制御支援装置２０の支援情報生成部２２５で生成されたエネルギー改善手順表示画面を表示するとともに、表示したエネルギー改善手順表示画面に基づいて監視員に入力された機器の操作内容を、ビル監視制御支援装置２０の機器制御部２２６に送信する。
【００３７】
警報装置４０は、エネルギー使用状況監視部２２４
〈一実施形態によるビル監視制御支援システムの動作〉
次に、本実施形態によるビル監視制御支援システム１の動作について説明する。
【００３８】
本実施形態においては、予め各機器および各メータに関する情報が入力され、ビル監視制御支援装置２０の記憶部２１内のメータテーブル記憶部２１１、メータ−メータテーブル記憶部２１２、メータ−機器テーブル記憶部２１３、機器テーブル記憶部２１４に格納されている。
【００３９】
各記憶部に格納された各テーブルの例を、図３（ａ）〜（ｄ）に示す。
【００４０】
図３（ａ）はメータテーブル記憶部２１１に記憶されたメータテーブルの一例であり、各メータの情報として、分岐点Ｄ１の分岐元の位置で供給される電力を計測するエリア計測メータ１２−１のメータＩＤ“Ｐ１”、メータ名称「受電電力」、単位“kW”と、分岐点Ｄ２の分岐元の位置で供給される電力を計測するエリア計測メータ１２−２のメータＩＤ“Ｐ２”、メータ名称“サブ変１電力”、単位“kW”と、空調機１１−４に供給される電力を計測する機器計測メータ１３−１のメータＩＤ“Ｐ３”、メータ名称“サブ変２電力”、単位“kW”と、空調機１１−１および１１−２に供給される電力を計測する機器計測メータ１３−２のメータＩＤ“Ｐ４”、メータ名称“空調動力系１電力”、単位“kW”と、空調機１１−３に供給される電力を計測する機器計測メータ１３−３のメータＩＤ“Ｐ５”、メータ名称“空調動力系２電力”、単位“kW”とが格納されている。
【００４１】
また、図３（ｂ）はメータ−メータテーブル記憶部２１２に記憶されたメータ−メータテーブルの一例であり、メータＩＤ“Ｐ１”のメータの所属メータとしてメータＩＤ“Ｐ２」および“Ｐ３」が格納され、メータＩＤ“Ｐ２”のメータの所属メータとしてメータＩＤ“Ｐ４”および“Ｐ５”が格納されている。
【００４２】
また、図３（ｃ）はメータ−機器テーブル記憶部２１３に記憶されたメータ−機器テーブルの一例であり、機器計測メータ１３−１（メータＩＤ“Ｐ３”）の計測対象の機器として当該機器の識別情報である機器ＩＤ“ＰＡＣ−４”が格納され、機器計測メータ１３−２（メータＩＤ“Ｐ４”）の計測対象の機器として当該機器の識別情報である機器ＩＤ“ＰＡＣ−１”および“ＰＡＣ−２”が格納され、機器計測メータ１３−３（メータＩＤ“Ｐ５”）の計測対象の機器として当該機器の識別情報である機器ＩＤ“ＰＡＣ−３”が格納されている。
【００４３】
また図３（ｄ）は機器テーブル記憶部２１４に記憶された機器テーブルの一例であり、各機器の情報として、空調機１１−１の機器ＩＤ“ＰＡＣ−１”、機器名称“空調動力系１  ＰＡＣ−１”、制御内容“運転／停止」、設定内容“温度設定”と、空調機１１−２の機器ＩＤ“ＰＡＣ−２”、機器名称“空調動力系１  ＰＡＣ−２”、制御内容“運転／停止”、設定内容“温度設定”と、空調機１１−３の機器ＩＤ“ＰＡＣ−３”、機器名称“空調動力系２  ＰＡＣ−３”、制御内容“運転／停止”、設定内容“温度設定”と、空調機１１−４の機器ＩＤ“ＰＡＣ−４”、機器名称“空調動力系３  ＰＡＣ−４”、制御内容“運転／停止”、設定内容“温度設定”とが格納されている。
【００４４】
これらの情報が格納されている状態でビル監視制御支援システム１が起動されると、まず図４に示すようなエネルギー改善手順設定画面３１が表示入力装置３０の監視画面に表示される。
【００４５】
このエネルギー改善手順設定画面３１は、メータ許容上限値設定情報表示部３１０と、手順種別設定情報表示部３２０と、エネルギー改善手順設定情報表示部３３０とから構成されている。
【００４６】
メータ許容上限値設定情報表示部３１０には、メータテーブル記憶部２１１に記憶された各メータのメータＩＤ、メータ名称、および単位が表示されるとともに、各メータの許容上限値を入力するための許容上限値入力欄３１１が表示される。メータ許容上限値設定情報表示部３１０に表示された各メータの情報は、このメータ許容上限値設定情報表示部３１０近隣に表示された追加ボタン３１２、変更ボタン３１３、削除ボタン３１４が監視員に操作されることにより追加、変更、削除が可能である。
【００４７】
また、手順種別設定情報表示部３２０には、各機器（空調機、照明など）のエネルギー消費量を減らすための制御内容を入力するための制御内容入力欄３２１、およびこれらの制御内容ごとの具体的な制御手順を入力するための制御手順入力欄３２２が表示されるとともに、これらの制御内容および制御手順ごとの識別情報として自動的に付与される手順種別ＩＤが表示される。手順種別設定情報表示部３２０に表示された手順種別の情報は、この手順種別設定情報表示部３２０近隣に表示された追加ボタン３２３、変更ボタン３２４、削除ボタン３２５が監視員に操作されることにより追加、変更、削除が可能である。
【００４８】
また、エネルギー改善手順設定情報表示部３３０には、機器テーブル記憶部２１４に記憶された各機器の機器ＩＤおよび機器名称と、制御／設定内容とが、これらの組み合わせごとに表示され、またこれらの機器ＩＤと制御／設定内容との組み合わせごとの制御の優先度を入力するための優先度入力欄３３１、および各機器の制御内容について付与された手順種別ＩＤを入力するための手順種別ＩＤ入力欄３３２が表示され、さらに手順種別ＩＤ入力欄３３２に入力された手順種別ＩＤに対応する、手順種別設定情報表示部３２０で入力された制御内容および制御手順が表示される。エネルギー改善手順設定情報表示部３３０に表示されたエネルギー改善手順の情報は、このエネルギー改善手順設定情報表示部３３０近隣に表示された追加ボタン３２３、変更ボタン３２４、削除ボタン３２５が監視員に操作されることにより追加、変更、削除が可能である。
【００４９】
このエネルギー改善手順設定画面３１が表示されると、監視員の操作により表示入力装置３０からメータ許容上限値設定情報表示部３１０の許容上限値入力欄３１１に各メータの許容上限値が入力される。
【００５０】
ここでは、メータＩＤ“Ｐ１”の許容上限値として“2000”が入力され、メータＩＤ“Ｐ２”の許容上限値として“1000”が入力され、メータＩＤ“Ｐ３”の許容上限値として“1000”が入力され、メータＩＤ“Ｐ４”の許容上限値として“500”が入力され、メータＩＤ“Ｐ5”の許容上限値として“500”が入力されたものとする。
【００５１】
入力された各メータの許容上限値はビル監視制御支援装置２０の入力部２２１を介してメータテーブル記憶部２１１に送出され、メータテーブルが図５（ａ）に示すように更新される。
【００５２】
また、監視員の操作により表示入力装置３０から手順種別設定情報表示部３２０の制御内容入力欄３２１に各機器のエネルギー消費量を減らすための制御内容が入力され、さらに制御手順入力欄３２２に制御内容ごとの具体的な制御手順が入力される。
【００５３】
ここでは、制御内容“温度設定”の制御手順として“温度設定を＋１℃に設定する”が入力されて手順種別ＩＤ“Ａ１”が付与され、制御内容“停止”の制御手順として“当該ＰＡＣを停止する”が入力されて手順種別ＩＤ“Ａ２”が付与されたものとする。
【００５４】
入力された制御内容および制御手順はビル監視制御支援装置２０の入力部２２１を介して、図５（ｂ）に示すように、付与された手順種別ＩＤごとの手順種別テーブルとして手順種別テーブル記憶部２１５に記憶される。
【００５５】
また、監視員の操作により表示入力装置３０からエネルギー改善手順設定情報表示部３３０の機器ＩＤごとに制御対象の手順種別ＩＤが手順種別ＩＤ入力欄３３２に入力され、機器ＩＤと手順種別ＩＤとの組み合わせごとの制御の優先度が優先度入力欄３３１に入力される。
【００５６】
ここでは、制御の優先度が最も高い順に、機器ＩＤ「ＰＡＣ−２」に対する手順種別ＩＤ(1)の処理（優先度“１”）、機器ＩＤ「ＰＡＣ−４」に対する手順種別ＩＤ(1)の処理（優先度“２”）、機器ＩＤ「ＰＡＣ−１」に対する手順種別ＩＤ(1)の処理（優先度“３”）、機器ＩＤ「ＰＡＣ−３」に対する手順種別ＩＤ(1)の処理（優先度“４”）、機器ＩＤ「ＰＡＣ−２」に対する手順種別ＩＤ(2)の処理（優先度“５”）、機器ＩＤ「ＰＡＣ−４」に対する手順種別ＩＤ(2)の処理（優先度“６”）、機器ＩＤ「ＰＡＣ−１」に対する手順種別ＩＤ(2)の処理（優先度“７”）、機器ＩＤ「ＰＡＣ−３」に対する手順種別ＩＤ(2)の処理（優先度“８”）として入力されたものとする。
【００５７】
入力された手順種別ＩＤおよび優先度はビル監視制御支援装置２０の入力部２２１を介して、図５（ｃ）に示すように、対応する機器ＩＤとともに優先度−機器テーブルとして優先度−機器テーブル記憶部２１６に記憶される。
【００５８】
一方で、ビル監視制御支援システム１が起動されると、ビル内エネルギーシステム１０内の所定エリアに設置されている空調機１１−１〜１１−４において、外部の電力設備から供給され階層的に分岐点Ｄ１、Ｄ２で分岐された最下層の位置の電力により、設定温度に従って該当エリアの空調制御動作が開始される。
【００５９】
各空調機１１−１〜１１−４において空調制御動作が開始されると、外部の電力設備から供給された電力が最初に分岐される分岐点Ｄ１の分岐元の位置で、エリア計測メータ１２−１によりこの位置よりも下層に供給される電力が計測され、この分岐点Ｄ１で分岐された電力の一方がさらに分岐される分岐点Ｄ２の分岐元の位置で、エリア計測メータ１２−２によりこの位置よりも下層に供給される電力が計測される。
【００６０】
さらに、このように階層的に分岐され最下層の位置の電力により、空調機１１−４に供給される電力が機器計測メータ１３−１により計測され、空調機１１−１および１１−２に供給される電力が機器計測メータ１３−２により計測され、空調機１１−３に供給される電力が機器計測メータ１３−３により計測される。
【００６１】
これらの各エリア計測メータ１２−１、１２−２および機器計測メータ１３−１〜１３−３で計測された計測値と、各空調機１１−１〜１１−４における運転状態（運転／停止）および設定温度値とは、ビル内エネルギーシステム１０に接続されたビル監視制御支援装置２０に送信される。
【００６２】
各メータの計測値と各空調機の状態等を受信したときの、ビル監視制御支援装置２０の動作について図６のフローチャートを参照して説明する。
【００６３】
まず、ビル監視制御支援装置２０において各エリア計測メータ１２−１、１２−２および機器計測メータ１３−１〜１３−３で計測された計測値と、各空調機１１−１〜１１−４における運転状態（運転／停止）および設定温度値とが受信されると、制御部２２の状態・計測値取得部２２２においてこれらが取得される（Ｓ１）。
【００６４】
状態・計測値取得部２２２において取得された各空調機１１−１〜１１−４における運転状態（運転／停止）および設定温度値と、各エリア計測メータ１２−１、１２−２および機器計測メータ１３−１〜１３−３で計測された計測値は、記憶部２１の状態・計測値記憶部２１７に記憶される（Ｓ２）。
【００６５】
状態・計測値記憶部２１７に記憶された状態・計測値データの一例を、図７に示す。図７の状態・計測値データには、各メータの計測値と、各計測値がそれぞれ許容上限値を超えているか否かを示す許容上限値超過情報が格納されている。許容上限値超過情報は、初期状態ではすべて許容上限値を超えていないことを示す「０」に設定されている。
【００６６】
次に、エネルギー使用状況表示制御部２２３において、状態・計測値記憶部２１７に記憶された情報の中の各エリア計測メータ１２−１、１２−２および機器計測メータ１３−１〜１３−３で計測された計測値と、メータテーブル記憶部２１１のメータテーブルに格納された各メータの名称、単位が取得され、これらを表示するためのエネルギー使用状況画面情報が生成される（Ｓ３）。生成されたエネルギー使用状況画面情報は表示入力装置３０に送信され、エネルギー使用状況画面として表示される。表示入力装置３０にエネルギー使用状況画面が表示されると監視員によりこの画面が監視される。
【００６７】
また、エネルギー使用状況画面情報が生成および表示される一方で、エネルギー使用状況監視部２２４において、状態・計測値記憶部２１７に記憶された各メータの計測値が、メータテーブル記憶部２１１に記憶された各メータの許容上限値を超えているか否かが監視される（Ｓ４の「NO」）。
【００６８】
ここでは、図５（ａ）のメータテーブルの許容上限値の情報に基づいてメータＩＤ「Ｐ２」および「Ｐ５」のメータの計測値が許容上限値を超えているものと判断され（Ｓ４の「YES」）、これらのメータが改善対象のメータとして選択され（Ｓ５）、メータＩＤの許容上限値超過情報が「０」→「１」に更新されている。
【００６９】
エネルギー使用状況監視部２２４においてメータＩＤ「Ｐ２」および「Ｐ５」の許容上限値超過情報が「０」→「１」に更新されると、この情報がエネルギー使用状況表示制御部２２３に送出されてエネルギー使用状況画面上の当該メータの計測値の表示が赤色で表示されるように更新されて警告のために強調されるとともにこれらのメータの情報が警報装置４０に送信されて当該メータの計測値が許容上限値を超えたことを示す情報が音声で出力され、さらに当該メータがエネルギー使用量の改善対象のメータであることを示す情報がエネルギー使用状況監視部２２４から支援情報生成部２２５に送出される。
【００７０】
更新されたエネルギー使用状況画面の一例を、図８に示す。図８では、ビル内エネルギーシステム１０内の電力の分岐状態に基づいてエリア計測メータ１２−１（メータＩＤ“Ｐ１”）、１２−２（メータＩＤ“Ｐ２”）および機器計測メータ１３−１（メータＩＤ“Ｐ３”）〜１３−３（メータＩＤ“Ｐ５”）の計測位置関係が各メータの名称で系統的に示されるとともに、各メータの計測値がそれぞれ表示されている。このとき、許容上限値を超過したメータＩＤ“Ｐ２”の計測値“1100kW”、およびメータＩＤ“Ｐ５”の計測値“700kW”は、赤色で表示されることで強調される。
【００７１】
また、支援情報生成部２２５においてエネルギー使用量の改善対象のメータがエリア計測メータ１２−２（メータＩＤ“Ｐ２”）および機器計測メータ１３−３（メータＩＤ“Ｐ５”）である情報が取得されると、これらのメータの情報に基づいて監視制御の支援情報としてのエネルギー改善手順表示画面を表示させるためのエネルギー改善手順表示画面情報が生成される。
【００７２】
支援情報生成部２２５においてエネルギー改善手順表示画面情報が生成されるときの動作について、図９のフローチャートを参照して説明する。
【００７３】
まず改善対象のメータの情報が取得されると（Ｓ１１）、エネルギー使用量の改善対象のメータが複数あるか否かが判断される（Ｓ１２）。ここで複数あると判断された場合には、これらのメータのうち最上位の位置で計測しているメータが改善対象メータとして選択される（Ｓ１３）。
【００７４】
ここでは改善対象のメータとしてエリア計測メータ１２−２（メータＩＤ“Ｐ２”）および機器計測メータ１３−３（メータＩＤ“Ｐ５”）の２つが示されており（Ｓ１２の「YES」）、記憶部２１のメータ−メータテーブル記憶部２１２に記憶されたメータ−メータテーブルに基づいて機器計測メータ１３−３（メータＩＤ“Ｐ５”）がエリア計測メータ１２−２（メータＩＤ“Ｐ２”）の所属メータであることが判別されるため、エリア計測メータ１２−２（メータＩＤ“Ｐ２”）が最上位のメータであり改善対象のメータとして選択される。
【００７５】
次に図１０に示すように、選択されたエリア計測メータ１２−２のメータＩＤおよびメータの名称が、メータテーブル記憶部２１１に記憶されたメータテーブルから特定される（Ｓ１４）。ここでは、エリア計測メータ１２−２のメータＩＤとして“Ｐ２”が特定されされ、メータの名称として“サブ変１電力”が特定され抽出される。
【００７６】
次に、メータＩＤ“Ｐ２”の所属メータのメータＩＤが、メータ−メータテーブル記憶部２１２に記憶されたメータ−メータテーブルから検索され、該当する所属メータＩＤが存在すれば抽出される。ここではメータＩＤ“Ｐ２”に該当する所属メータＩＤが存在し、メータＩＤ“Ｐ４”および“Ｐ５”が抽出される（Ｓ１５の「YES」、Ｓ１６）。
【００７７】
ここで、所属メータが存在したことから、メータＩＤ“Ｐ２”に対応するメータはエリア計測メータであることが分かる。また、メータＩＤ“Ｐ４”および“Ｐ５”についてもさらに所属メータが検索されるが、これらのメータＩＤには所属メータがなく「該当レコードなし」の結果が取得されるため、メータＩＤ“Ｐ４”および“Ｐ５”は最下層の位置の電力を計測する機器計測メータであることが分かる（Ｓ１５の「NO」）。
【００７８】
このように、抽出されたメータＩＤから機器計測メータが抽出されるまで、ステップＳ１５およびＳ１６の検索処理が繰り返される。
【００７９】
次に、抽出された機器計測メータのメータＩＤ“Ｐ４”および“Ｐ５”のメータに接続された機器の機器ＩＤが、メータ−機器テーブル記憶部２１３に記憶されたメータ−機器テーブルから検索され、メータＩＤ“Ｐ４”のメータに接続された機器の機器ＩＤとして機器ＩＤ“ＰＡＣ−１”、“ＰＡＣ−２”が抽出され、メータＩＤ“Ｐ５”のメータに接続された機器の機器ＩＤとして機器ＩＤ“ＰＡＣ−３”が抽出される（Ｓ１７）。
【００８０】
次に、抽出された機器ＩＤ“ＰＡＣ−１”、“ＰＡＣ−２”、“ＰＡＣ−３”に対応する機器の名称および制御／設定内容（運転／停止、および温度設定）が、機器テーブル記憶部２１４に記憶された機器テーブルから検索され、抽出される（Ｓ１８）。
【００８１】
次に、抽出された機器ＩＤ“ＰＡＣ−１”、“ＰＡＣ−２”、“ＰＡＣ−３”にそれぞれ対応する手順種別ＩＤごとの優先度が、優先度−機器テーブル記憶部２１６に記憶された優先度−機器テーブルから抽出される（Ｓ１９）。ここでは、機器ＩＤ“ＰＡＣ−２”の手順種別ＩＤ“Ａ１”に対応する優先度として“１”が抽出され、機器ＩＤ“ＰＡＣ−１”の手順種別ＩＤ“Ａ１”に対応する優先度として“３”が抽出され、機器ＩＤ“ＰＡＣ−３”の手順種別ＩＤ“Ａ１”に対応する優先度として“４”が抽出され、機器ＩＤ“ＰＡＣ−２”の手順種別ＩＤ“Ａ２”に対応する優先度として“５”が抽出され、機器ＩＤ“ＰＡＣ−１”の手順種別ＩＤ“Ａ２”に対応する優先度として“７”が抽出され、機器ＩＤ“ＰＡＣ−３”の手順種別ＩＤ“Ａ２”に対応する優先度として“８”が抽出される。
【００８２】
次に、抽出された機器ＩＤ“ＰＡＣ−１”、“ＰＡＣ−２”、“ＰＡＣ−３”に対応して設定されている手順種別ＩＤ“Ａ１”に対応する制御内容として“温度設定”が抽出されるとともに制御手順として“温度設定を＋１℃に設定する”が抽出され、手順種別ＩＤ“Ａ２”に対応する制御内容として“停止”が抽出されるとともに制御手順として“当該ＰＡＣを停止する”が抽出される（Ｓ１９）。
【００８３】
これらの情報が抽出されると、ステップＳ１４で抽出された改善対象メータの名称と、ステップＳ１８で抽出された機器の名称と、状態・計測値記憶部２１７に記憶されている各機器（空調機）の現在の運転状態および設定温度値と、ステップＳ１９で抽出された各制御の優先度、制御内容、制御手順とに基づいて、エネルギー改善手順表示画面情報が生成される（Ｓ２１）。
【００８４】
生成されたエネルギー改善手順表示画面情報は表示入力装置３０に送信され、エネルギー改善手順表示画面として表示される。
【００８５】
表示入力装置３０に表示されたエネルギー改善手順表示画面の一例を、図１１に示す。
【００８６】
図１１では、改善対象として選択されたエリア計測メータ１２−２の名称“サブ変１電力”が表示され、このエリア計測メータ１２−２が選択されたことにより検索され抽出された空調機に関する改善手順の情報が、制御の優先度の高い順に表示されている。
【００８７】
ここでは、優先度が最も高い“１”の制御である機器名称“空調動力系１  ＰＡＣ−２”（設定温度２５℃で運転中）の温度設定を＋１℃に設定する制御手順と、次に優先度が高い“３”の制御である機器名称“空調動力系１  ＰＡＣ−１”（設定温度２５℃で運転中）の温度設定を＋１℃に設定する制御手順と、次に優先度が高い“４”の制御である機器名称“空調動力系２  ＰＡＣ−３”（設定温度２５℃で運転中）の温度設定を＋１℃に設定する制御手順と、次に優先度が高い“５”の制御である機器名称“空調動力系１  ＰＡＣ−２”（設定温度２５℃で運転中）の運転を停止する制御手順と、次に優先度が高い“７”の制御である機器名称“空調動力系１  ＰＡＣ−１”（設定温度２５℃で運転中）の運転を停止する制御手順と、次に優先度が高い“８”の制御である機器名称“空調動力系２  ＰＡＣ−３”（設定温度２５℃で運転中）の運転を停止する制御手順と、これらの制御を操作するためのボタン群３４０が表示されている。
【００８８】
このエネルギー改善手順表示画面が表示されることにより、監視員が優先度の高い方から改善対象の機器および変更する制御内容を検討し、ボタン群３４０のボタンが操作され変更指示が入力されることにより操作される。
【００８９】
監視員により操作された機器の制御内容の変更指示は、ビル監視制御支援装置２０の機器制御部２２６で受信され、該当するビル内エネルギーシステム１０内の空調機に送信される。受信した空調機では、受信された指示の設定温度に従って運転が行われる。
【００９０】
以上の本実施形態によれば、ビル内のエネルギー状態を監視する監視員が入力した各メータの許容上限値等に基づいて制御内容の改善対象のメータが選択され、このメータに対応する機器と制御内容との組み合わせが優先度の高い順に表示されるため、規模の大きいビル内においてエネルギー消費状態の改善対象の機器および制御内容を優先度順に把握することができ、さらにこれらの機器の現在の運転状態や変更可能な制御内容に応じて変更操作をすることができるため、監視員による操作を支援することができる。
【００９１】
また、本実施形態のビル監視制御支援装置の制御部の機能をプログラム化してコンピュータに組み込むことにより、当該コンピュータをビル監視制御支援装置として機能させるビル監視制御支援プログラムを構築することも可能である。
【図面の簡単な説明】
【００９２】
【図１】本発明の一実施形態によるビル監視制御支援システムの構成を示す全体図である。
【図２】本発明の一実施形態によるビル監視制御支援システムのビル監視制御支援装置の構成を示すブロック図である。
【図３】本発明の一実施形態によるビル監視制御支援システムのビル監視制御支援装置の記憶部に記憶される各テーブルの一例を示す説明図である。
【図４】本発明の一実施形態によるビル監視制御支援システムの表示入力装置に表示されるエネルギー改善手順設定画面の一例を示す画面構成図である。
【図５】本発明の一実施形態によるビル監視制御支援システムのビル監視制御支援装置の記憶部に記憶および更新される各テーブルの一例を示す説明図である。
【図６】本発明の一実施形態によるビル監視制御支援システムのビル監視制御支援装置において改善対象のメータを選択するときの動作を示すフローチャートである。
【図７】本発明の一実施形態によるビル監視制御支援システムのビル監視制御支援装置の記憶部に記憶される状態・計測値データの一例を示す説明図である。
【図８】本発明の一実施形態によるビル監視制御支援システムの表示入力装置に表示されるエネルギー使用状況表示画面の一例を示す画面構成図である。
【図９】本発明の一実施形態によるビル監視制御支援システムのビル監視制御支援装置においてエネルギー使用状況表示画面情報を生成するときの動作を示すフローチャートである。
【図１０】本発明の一実施形態によるビル監視制御支援システムのビル監視制御支援装置においてエネルギー改善手順表示画面が生成されるときの動作を示すフローチャートである。
【図１１】本発明の一実施形態によるビル監視制御支援システムの表示入力装置に表示されるエネルギー改善手順表示画面の一例を示す画面構成図である。
【符号の説明】
【００９３】
１…ビル監視制御支援システム
１０…ビル内エネルギーシステム
１１−１〜１１−４…空調機
１２−１、１２−２…エリア計測メータ
１３−１〜１３−３…機器計測メータ
２０…ビル監視制御支援装置
２１…記憶部
２２…制御部
３０…表示入力装置
３１…エネルギー改善手順設定画面
４０…警報装置
２１１…メータテーブル記憶部
２１２…メータ−メータテーブル記憶部
２１３…メータ−機器テーブル記憶部
２１４…機器テーブル記憶部
２１５…手順種別テーブル記憶部
２１６…機器テーブル記憶部
２１７…状態・計測値記憶部
２２１…入力部
２２２…状態・計測値取得部
２２３…エネルギー使用状況表示制御部
２２４…エネルギー使用状況監視部
２２５…支援情報生成部
２２６…機器制御部
３１０…メータ許容上限値設定情報表示部
３１１…許容上限値入力欄
３１２…追加ボタン
３１３…変更ボタン
３１４…削除ボタン
３２０…手順種別設定情報表示部
３２１…制御内容入力欄
３２２…制御手順入力欄
３２３…追加ボタン
３２４…変更ボタン
３２５…削除ボタン
３３０…エネルギー改善手順設定情報表示部
３３１…優先度入力欄
３３２…手順種別ＩＤ入力欄
３４０…ボタン群
【図１】
2010092274.tif 000003
【図２】
2010092274.tif 000004
【図３】
2010092274.tif 000005
【図４】
2010092274.tif 000006
【図５】
2010092274.tif 000007
【図６】
2010092274.tif 000008
【図７】
2010092274.tif 000009
【図８】
2010092274.tif 000010
【図９】
2010092274.tif 000011
【図１０】
2010092274.tif 000012
【図１１】
2010092274.tif 000013